(57)【要約】【課題】ワイヤロープの損傷や劣化による取り替えあるいは一定使用期間後の取り替え時に、端末金具とワイヤロープを極めて容易に分離できると共に、端末金具とワイヤロープを強固に連結できる端末金具を提供する。【解決手段】筒状金具を固着したワイヤロープの端末部を、短筒体金具の貫通孔に挿通する。その端末部を金属ソケットホルダーのソケット部に挿嵌する。前記短筒体金具の下端内周面にワイヤロープを嵌着する分割スペーサを配設する。短筒体金具の内径に設けた雌ネジと金属ソケットホルダーの外径に設けた雄ネジを螺合してワイヤロープと端末金具を連結する。【選択図】図１
2012207753.tif 000002
【特許請求の範囲】
【請求項１】
筒状金具を固着したワイヤロープの端末部を、短筒体金具の貫通孔に挿通し、その端末部を金属ソケットホルダーのソケット部に挿嵌し、前記短筒体金具の下端内周面にワイヤロープを嵌着する分割スペーサを配設すると共に、短筒体金具の内径に設けた雌ネジと金属ソケットホルダーの外径に設けた雄ネジを螺合してワイヤロープと端末金具を連結したことを特徴とするワイヤロープの端末金具。
【請求項２】
前記金属ソケットホルダーの形状は、フォーク型、アイエンド型、螺子型などからなる請求項１に記載のワイヤロープ端末金具。
【請求項３】
前記金属ソケットホルダーの先端部に引き込みロープ挿通孔を穿設してある請求項１または請求項２に記載のワイヤロープ端末具。
【発明の詳細な説明】
【技術分野】
【０００１】
本発明は、ワイヤロープの端末に取り付ける端末金具に関するものであり、さらに詳しくは、工事現場などの移動式クレーンのワイヤロープに使用するのに適した端末金具に関するものである。
【背景技術】
【０００２】
従来から、クレーン用ワイヤロープの端末は、使用するにあたって端部を必ず他物と結合したり連結する必要があるため、金属ソケット状の端末金具が取り付けられている。その端末金具の取り付け形態としては、図７に示すような合金止め、図８に示すような楔止め、図９に示すようなアイ圧着止めなどがある。
【０００３】
合金止めは、図７Ａに示すように、ワイヤロープ３１の端末を端末金具３２のソケット部３３に差込み、その端末を解きほぐして拡大頭部３１ａとした後、図７Ｂに示すように、引っ張り力を加えて拡大頭部３１ａを端末金具３２のソケット部３３に引き込み、溶融した合金３４を流し込み鋳込んで固定する方式である（例えば、特許文献１参照）。
【０００４】
楔止めは、ワイヤロープ４１の端末を端末金具４２に通しておき、ワイヤロープ４１を楔４３の外周に沿って折り曲げた後、楔４３を端末金具４２に打ち込んで固定すると共に、折り曲げロープ４４の上部をグリップ４５で締結する方式である（例えば、特許文献２参照）。
【０００５】
アイ圧縮止めは、ワイヤロープ５１の端末を金具５２に沿って折り曲げてアイ状に屈曲形成し、折り曲げたワイヤロープ５３の端末をスリーブ５４に通して圧縮する方式である（例えば、特許文献３参照）。
【先行技術文献】
【特許文献】
【０００６】
【特許文献１】特開平７−２４６２９８号公報
【特許文献２】実開昭６３−１９７２５６号公報
【特許文献３】実用新案登録第３０８９２７６号公報
【発明の概要】
【発明が解決しようとする課題】
【０００７】
しかしながら、上記特許文献１の合金止めは、最も確実な止め方で締結効率が高いという長所はあるが、合金を高温で加熱して溶融しなければならないため、作業時間が長くなり作業効率も悪く、かつ現場で合金を溶解するために火気を使用することから、火災の危険性があるという問題点があった。
【０００８】
上記特許文献２の楔止めは、取り付け、取り外しが容易であるという長所はあるが、楔を打ち込んで固定することから、打ち込み工具が必要となり、力のいる打ち込み作業をしなければならず、締結に手間がかかるばかりでなく、締結力が低いといった問題点があった。
【０００９】
上記特許文献３のアイ圧縮止めは、アイ状になるようにワイヤロープを小さな半径で屈曲しなければならないため、加工に手間と時間を要するばかりでなく、折り曲げたロープをスリーブに通して圧縮しなければならず、プレス機が必要となり設備費が嵩むなどの問題点があった。
【００１０】
このように、従来のワイヤロープの端末に取り付けられるソケット状の端末金具は、それぞれ一長一短あるばかりか、ロープの取り替えに手間がかかると共に、端末金具とワイヤロープを容易に、かつ確実にそして強固に連結できないという問題点があった。
【００１１】
本発明は、上記のような問題点を解決することを課題として研究開発されたもので、ワイヤロープの損傷や劣化による取り替え、あるいは一定使用期間後の取り替え時に、端末金具とワイヤロープを極めて容易に、かつ確実にそして強固に連結できる端末金具を提供することを目的とする。
【課題を解決するための手段】
【００１２】
上記の課題を解決し、その目的を達成する手段として、本発明では、筒状金具を固着したワイヤロープの端末部を、短筒体金具の貫通孔に挿通し、その端末部を金属ソケットホルダーのソケット部に挿嵌し、前記短筒体金具の下端内周面にワイヤロープを嵌着する分割スペーサを配設すると共に、短筒体金具の内径に設けた雌ネジと金属ソケットホルダーの外径に設けた雄ネジを螺合してワイヤロープと端末金具を連結したことを特徴とするワイヤロープの端末金具を開発し、採用した。
【００１３】
また、上記のように構成したワイヤロープの端末金具において、前記金属ソケットホルダーの形状は、フォーク型、アイエンド型、螺子型などからなるワイヤロープの端末金具、および前記金属ソケットホルダーの先端部に引き込みロープ挿通孔を穿設してあるワイヤロープの端末金具を開発し、採用した。
【発明の効果】
【００１４】
請求項１のワイヤロープの端末金具は、短筒体金具の内径に設けた雌ネジと金属ソケットホルダーの外径に設けた雄ネジを螺合することにより、短筒体金具に内在するワイヤロープに嵌着する分割スペーサを介しワイヤロープを緊締して端末金具と強固に連結することができる。また、短筒体金具と金属ソケットホルダーの螺合を弛緩して螺合を解けば、端末金具とワイヤロープを分離して取り外すことができ、短筒体金具を緊締・弛緩することにより連結・分離が簡単にできると共に、素早く行うことができる。
【００１５】
また、請求項２のワイヤロープの端末金具は、その一端部の形状がフォーク型、アイエンド型、螺子型などからなっているから、各種の用途に対応でき最適なものを使用することができる。
【００１６】
さらに、請求項３のワイヤロープの端末金具は、ソケットホルダーの先端部に引き込みロープ挿通孔を設けてあるから、筒状金具を固着したワイヤロープの端末部を、引っ張ることが可能になり金属ソケットのソケット部にスムーズに挿通嵌合でき、ワイヤロープと端末金具との連結が素早くできる。
【図面の簡単な説明】
【００１７】
【図１】本発明の第１実施の形態を示す端末金具の正面図である。
【図２】図１のＡ−Ａ線断面図である。
【図３】アイエンドの正面図である。
【図４】図３のＢ−Ｂ線断面図である。
【図５】螺子エンドの正面図である。
【図６】図５のＣ−Ｃ線断面図である。
【図７】従来の合金止めの正面図である。
【図８】従来の楔止めの正面図である。
【図９】従来のアイ圧着止めの正面図である。
【発明を実施するための形態】
【００１８】
以下に、本発明の実施の形態１を添付の図面１、２に基づいて説明すれば、ワイヤロープ１に取り付けられる端末金具２は、金属製のソケットホルダー３と、そのソケットホルダー３と螺合する短筒体金具１１と、該短筒体金具１１に内在しワイヤロープ１に嵌着する分割スペーサ２１，２１とで構成されている。
【００１９】
上記ソケットホルダー３は、一端部を二股状のフォークエンド４に形成し、二股片４ａ，４ａの中央部にピン孔４ｂ，４ｂを穿設してあり、他端部に向かって中空円筒体５を一体的に連設してある。その中空円筒体５の内面には、ワイヤロープ１の端部に圧着もしくは樹脂接着などで固着した筒状金具６を挿嵌するソケット部７を長さ方向に穿設してある。また、ソケット部７の先端部には引き込みロープ（図示せず）挿通孔９を穿設してあり、ソケット部７と二股部４の底面部４ｃを連通してある。１０は円筒体４の端部外周面に設けた雄ネジである。
【００２０】
上記短筒体金具１１は、中空円筒体５の端部外周面に螺設した雄ネジ１０と螺合する雌ネジ１２を内周面の上端部から中間部にかけて設けてあり、下端部には段部１３を形成し、その段部１３にワイヤロープ１に嵌着する分割スペーサ２１，２１が配設されている。１４は底面部に設けた貫通孔である。
【００２１】
上記分割スペーサ２１，２１は、磁石鋼で形成され上下二分割されており、ワイヤロープ１に上下から嵌合されている。すなわち、スペーサ２１の内径はワイヤロープ１の外径よりも若干大径に形成され、また、その外径は上記短筒体金具１１の下端内周面の径より若干小径に形成されている。
【００２２】
上記のように構成した実施の形態１についてその使用態様を説明すれば、ソケットホルダー３と短筒体金具１１を離脱した状態にし、短筒体金具１１の後方からワイヤロープ１の端部に固着した筒状金具６を短筒体金具１１の貫通孔１４に挿通していき、ソケットホルダー３のソケット部７に挿嵌する。この時、スムーズに挿嵌するように、筒状金具６の先端部の係止孔８に結んだ引き込みロープを引っ張ることにより、ワイヤロープ１の端部に固着した筒状金具６がソケット部７にスムーズに挿嵌することができる。挿嵌後、ワイヤロープ１に嵌着するスペーサ２１，２１が二分割されており磁石であるから、容易に嵌めることができ抱着した後、短筒体金具１１の雌ネジ１２をソケットホルダー３の雄ネジ１０と螺合することにより端末金具２とワイヤロープ１を極めて簡単確実に連結できるものである。
【００２３】
図３，４に示すのは本発明の第２実施の形態を説明するもので、上記第１実施の形態と異なるのは、ソケットホルダー３の一端部の形状を二股片のフォークエンド４に代えてアイエンド２２に形成しただけであり、その他は全て第１実施の形態と同一であるから、同一部分には同一符号を付して説明は省略する。
【００２４】
図５，６に示すのは本発明の第３実施の形態を説明するもので、上記第１実施の形態と異なるのは、ソケットホルダー３の一端部の形状を二股片のフォークエンド４に代えて螺子エンド２３に形成しただけであり、その他は全て第１実施の形態と同一であるから、同一部分には同一符号を付して説明は省略する。
【００２５】
以上、本発明の主要な実施の形態の例について説明したが、本発明は必ずしも上記実施の形態に限られるものではなく、本発明の目的を達成でき、かつ本発明の要旨を逸脱しない範囲で種々の設計変更が可能であることは言うまでもない。
【産業上の利用可能性】
【００２６】
本発明は、工事現場などで使用される移動式クレーンのワイヤロープの端末金具に適しているが、その他の用途に使用されるワイヤロープの端末金具としても適用できる。
【符号の説明】
【００２７】
１    ワイヤロープ
２    端末金具
３    ソケットホルダー
６    筒状金具  
７    ソケット部
９    挿通孔
１０  雄ネジ
１１  短筒体金具
１２  雌ネジ
１４  貫通孔
２１  分割スペーサ
【図１】
2012207753.tif 000003
【図２】
2012207753.tif 000004
【図３】
2012207753.tif 000005
【図４】
2012207753.tif 000006
【図５】
2012207753.tif 000007
【図６】
2012207753.tif 000008
【図７】
2012207753.tif 000009
【図８】
2012207753.tif 000010
【図９】
2012207753.tif 000011